(57)【要約】【課題】設置可能な場所を増やすことができるドラム式洗濯機を提供する。【解決手段】外箱１内には水槽３を配置している。水槽３内には、洗濯物を収容するドラム４を回転自在に配置している。外箱１の天面の後部には、その天面の前部よりも低い段部１６が設けられている。【選択図】図１
2006061352.tif 000002
【特許請求の範囲】
【請求項１】
外箱と、
上記外箱内に配置された水槽と、
上記水槽内に回転自在に配置され、洗濯物を収容するドラムと、
上記外箱の天面の後部に設けられ、上記天面の前部よりも低い段部と
を備えたことを特徴とするドラム式洗濯機。
【請求項２】
請求項１に記載のドラム式洗濯機において、
上記段部には、水道の蛇口に接続する給水ホース接続口が設けられていることを特徴とするドラム式洗濯機。
【請求項３】
請求項１に記載のドラム式洗濯機において、
上記段部には、風呂水ポンプに接続する風呂水ポンプ接続口が設けられていることを特徴とするドラム式洗濯機。
【発明の詳細な説明】
【技術分野】
【０００１】
本発明はドラム式洗濯機に関する。
【背景技術】
【０００２】
従来、ドラム式洗濯機としては、特開２０００−３４２８８０号公報（特許文献１）に開示されたものがある。このドラム式洗濯機は、外箱と、この外箱内に配置された水槽と、この水槽内に配置されて洗濯物を収容するドラムとを備えている。
【０００３】
上記外箱の前面部には、洗濯物を出し入れするための開口部が設けられている。この外箱の開口部は、外箱に回動自在に取り付けられたドアで開閉するようになっている。また、上記外箱の天面は、洗濯かご等を置けるように平坦面となっている。
【０００４】
上記ドラムの前面部には、外箱の開口部に対向する開口部が設けられている。また、上記ドラムの前面部は鉛直面に対して５°〜２０°の角度で傾斜している。
【０００５】
上記構成のドラム式洗濯機によれば、ドラムの前面部が鉛直面に対して５°〜２０°の範囲内の角度で傾斜しているので、ドラムの開口部が斜め上方を向き、ドラム内の洗濯物は外部から見易くなっている。
【０００６】
ところで、上記従来のドラム式洗濯機は、通常、水道の蛇口が設けられた壁近傍に設置するが、蛇口の高さが外箱の天面の高さより低いと、蛇口が外箱に接触してしまうので、設置できない。したがって、上記従来のドラム式洗濯機の設置可能な場所は制限されて少ないという問題がある。
【特許文献１】特開２０００−３４２８８０号公報
【発明の開示】
【発明が解決しようとする課題】
【０００７】
そこで、本発明の課題は、設置可能な場所を増やすことができるドラム式洗濯機を提供することにある。
【課題を解決するための手段】
【０００８】
上記課題を解決するため、本発明のドラム式洗濯機は、
外箱と、
上記外箱内に配置された水槽と、
上記水槽内に回転自在に配置され、洗濯物を収容するドラムと、
上記外箱の天面の後部に設けられ、上記天面の前部よりも低い段部と
を備えたことを特徴としている。
【０００９】
上記構成のドラム式洗濯機は、例えば水道の蛇口が設けられた壁に外箱の後面が対向するように設置する。このとき、上記外箱の天面の後部には外箱の天面の前部よりも低い段部が設けられているので、水道の蛇口が外箱に接触するのを防げる。したがって、上記ドラム式洗濯機の設置可能な場所を増やすことができる。
【００１０】
一実施形態のドラム式洗濯機では、上記段部には、水道の蛇口に接続する給水ホース接続口が設けられている。
【００１１】
上記実施形態のドラム式洗濯機によれば、上記給水ホース接続口を段部に設けることにより、外箱を前面側から見たときに給水ホース接続口が目立たない。つまり、上記給水ホース接続口が隠れる。したがって、上記外箱の美観を向上させることができる。
【００１２】
一実施形態のドラム式洗濯機では、上記段部には、風呂水ポンプに接続する風呂水ポンプ接続口が設けられている。
【００１３】
上記実施形態のドラム式洗濯機によれば、上記風呂水ポンプ接続口を段部に設けることにより、外箱を前面側から見たときに風呂水ポンプ接続口が目立たない。つまり、上記風呂水給水口が隠れる。したがって、上記外箱の美観を向上させることができる。
【発明の効果】
【００１４】
本発明のドラム式洗濯機は、例えば水道の蛇口が設けられた壁に外箱の後面が対向するように設置すれば、天面の前部よりも低い段部が外箱の天面の後部に設けられているので、蛇口が外箱に接触するのを防げる。したがって、上記ドラム式洗濯機の設置可能な場所を増やすことができる。
【発明を実施するための最良の形態】
【００１５】
以下、本発明の洗濯機を図示の実施例により詳細に説明する。
【００１６】
図１に、本発明の一実施の形態のドラム式洗濯機を斜め上方から見た概略図を示す。
【００１７】
上記ドラム式洗濯機は、外箱開口部１１を有する外箱１を備えている。外箱１の前面部の大部分は前パネル１２から成り、外箱１の底部は底台１３から成っている。また、外箱１にはドア２がヒンジで回動自在に取り付けられている。このドア２により外箱開口部１１が開閉される。また、外箱１の上部には、洗剤、漂白剤および柔軟剤を収容する洗剤ケース１４と、操作キーや表示部を有する操作部１５とが設けられている。この操作部１５の裏側（外箱１の内部側）には、ドラム式洗濯機の動作を制御する制御回路１７（図２参照）を配置している。また、外箱１の天面の後部には、その天面の前部よりも低い段部１６が設けられている。
【００１８】
図２に、上記ドラム式洗濯機の概略断面図を示す。
【００１９】
上記ドラム式洗濯機は、外箱１内に配置された有底円筒形状の水槽３と、この水槽３内に回転自在に配置され、洗濯物を収容する有底円筒形状のドラム４と、水槽３の後部に取り付けられ、ドラム４を回転駆動するモータ５と、洗濯物を乾燥させるための乾燥システム６と、水槽３の後部を弾性支持する２本のダンパ７とを備えている。
【００２０】
水槽３の前面部には水槽開口部１８が設けられている。この水槽開口部１８の開口縁には、ゴムや軟質樹脂等の弾性体から成るパッキン１９が固着されている。これにより、ドア２を閉じると、ドア２がパッキン１９に密着するから、水槽３内の液体が水槽３外へ漏れ出るのを防げる。また、水槽３は、水槽開口部１８が外箱開口部１１に対向するように横向きに配置されている。より詳しくは、水槽３の中心軸は水平方向に対して５°〜３０°の角度を成すように傾斜している。水槽３の上部には、水槽３内に水や洗濯液等を給水するための給水ダクト２０が接続されている。また、水槽３の下部には、水槽３内の水や洗濯液等を外部に排水するための排水ダクト２１が接続されている。さらに、この排水ダクト２１は、フィルタ２２を介して排水ホース２３に接続されている。このフィルタ２２は水槽３内から流れて来た液体中の糸屑を除去する。また、排水ホース２３には、排水モータ２４によって開閉される排水弁２５が設けられている。
【００２１】
ドラム４は、中心軸が水槽３の中心軸に対して外箱１の天面側に偏心するように配置されている。つまり、ドラム４の中心軸は水槽３の中心軸よりも水槽４の上部側に位置している。言い換えれば、ドラム４の回転軸を含む鉛直面内において、ドラム４の下部と水槽３の下部との距離は、ドラム４の上部と水槽３の上部との距離よりも大きくなっている。要するに、ドラム４は、水槽４の上部側に位置するように配置されている。また、ドラム４の回転軸は水平方向に対して５°〜３０°の角度を成すように傾斜している。ドラム４の前面部には、外箱開口部１１および水槽開口部１８に対向するドラム開口部２６が設けられている。このドラム開口部２６は水槽開口部１８よりも大きな径を有している。また、ドラム４の周壁全域には複数の小孔２７が設けられている。この小孔２７は、水槽３とドラム４との間の空間と、ドラム４内の空間との間で洗濯水や乾燥空気等を流通させるためのものである。また、ドラム４の内壁面には、半径方向内側に向かって突出するバッフル２８を設けている。このバッフル２８は、周方向に例えば１２０°間隔で３ヶ所に配置されている。バッフル２８はドラム４の回転に伴って、洗濯物の持上げと落下とを繰り返す働きをする。また、ドラム４のドラム開口部２６を外側から取り囲む液体バランサ２９を設けて、ドラム４の回転時に、洗濯物および洗濯液等の偏りにより生じようとするアンバランスを、液体バランサ２９の内部における封入液体の移動によって打消すようにしている。
【００２２】
ダンパ７の水槽３側とは反対側の端部は、ダンパ支持金具８のダンパ取付面３０に取り付けられている。
【００２３】
なお、図２のＧは、ドラム式洗濯機を設置する設置面である。
【００２４】
図３に、水槽３の概略正面図を示す。
【００２５】
水槽開口部１８の中心Ｃ１はドラム開口部２６の中心Ｃ２よりも外箱１の天面側にある。つまり、水槽開口部１８はドラム開口部２６に対して外箱１の天面側に偏心している。
【００２６】
乾燥システム６は、図２，図３に示すように、水槽３の中心軸を含み、かつ、この中心軸と直交する水平軸を含む面よりも下側に設けられている。また、乾燥システム６は、送風機３１、加熱装置３２、除湿用熱交換器３３および送風ダクト３９を有している。
【００２７】
送風機３１は、水槽３の後面下部に取り付けられている。また、送風機３１は、ファンケース３４と、ファンケース３４内に収容された羽根３５と、羽根３５を回転駆動するファンモータ３６とで構成されている。このファンモータ３６は羽根３５と直結し、ダイレクトドライブ構造によって羽根３５を回転駆動するようになっている。
【００２８】
加熱装置３２は、水槽３内の空間の下部に配置されている。より詳しくは、加熱装置３２は水槽３の内周面とドラム４の外周面との間に配置されている。また、加熱装置３２は、ヒータケース３７と、ヒータケース３７に大部分が収容されたシーズヒータ３８とで構成されている。ヒータケース３７は送風ダクト３９内に収容されている。この送風ダクト３９の前パネル１２側の端部は、水槽開口部１８の下縁とドラム開口部２６の下縁との間に位置する送風口４０を構成している。この送風口４０は、ドラム４内の空間の下部に向かって温風を吹き出す。
【００２９】
除湿用熱交換器３３は、水槽３内の空間の下部に配置されている。より詳しくは、除湿用熱交換器３３は、水槽３の内周面とドラム４の外周面との間の洗濯液に浸かる領域に配置されている。
【００３０】
図４に、外箱１の概略上面図を示す。
【００３１】
外箱１の天面の段部１６の水平面１６ａには、給水ホース接続口の一例としての水道水給水口４１と、風呂水ポンプ接続口の一例としての風呂水給水口４２とが設けられている。水道水給水口４１から洗剤ケース１４までの給水路は給水弁４３を有している。一方、風呂水給水口４２から洗剤ケース１４までの給水路は風呂水ポンプ４４を有している。
【００３２】
水道水給水口４１は、図示しない給水ホースを介して水道の蛇口に接続される。
【００３３】
風呂水給水口４２は、図示しない風呂水ホースの一端に接続される。この風呂水ホースの他端を浴槽内に入れる。
【００３４】
上記構成のドラム式洗濯機によれば、外箱１の天面の後部に設けられた段部１６の水平面１６ａは外箱１の天面の前部よりも低いので、例えば水道の蛇口が設けられた壁に外箱１の後面が対向するように設置しても、水道の蛇口が外箱１に接触するのを防げる。したがって、上記ドラム式洗濯機の設置可能な場所を増やすことができる。
【００３５】
また、外箱１の天面の後部に設けられた段部１６の水平面１６ａは外箱１の天面の前部よりも低いので、外箱１の高さを高くしても、水道の蛇口が外箱１に接触するのを防げる。したがって、上記外箱１の高さを高くして、外箱開口部１１の上縁を高くすることにより、ドラム４内の洗濯物を外部から見易くすることができる。
【００３６】
また、水道水給水口４１および風呂水給水口４２を段部１６の水平面１６ａに設けているので、水道水給水口４１および風呂水給水口４２は外箱１の前面側から見たときに見え難くなっている。したがって、外箱１の外観をすっきりした感じにすることができる。すなわち、外箱１の美観を向上させることができる。
【００３７】
上記実施の形態では、段部１６は外箱１の一方の側面から外箱１の他方の側面まで延びていたが、段部１６は外箱１の一方の側面から外箱１の他方の側面まで延びなくてもよい。つまり、外箱１の天面の後部の一部に、外箱１の天面の前部より低い段部を設けてもよい。
【００３８】
上記実施の形態では、水槽３の後部のみを２本のダンパ７で弾性支持していたが、水槽３の前部もダンパで弾性支持してもよい。つまり、外箱１内に、水槽３の前部を弾性支持する前ダンパを設置してもよい。製造コストを削減する観点上、前ダンパの外形はダンパ７の外形と同じにするのが好ましい。ダンパ７の外形と同じ外形の前ダンパを用いる場合、前ダンパはダンパ支持金具８と同様のダンパ支持金具で支持すればよい。
【００３９】
上記実施の形態では、加熱装置３２を水槽３内に配置していたが、加熱装置３２を水槽３外に配置してもよい。この場合、水槽３外で開いているスペースを有効に活用することができる。
【００４０】
上記実施の形態では、水槽３の中心軸を含み、かつ、この中心軸と直交する水平軸を含む面よりも下側に乾燥システム６の全部を設けていたが、水槽３の中心軸を通る面よりも下側に乾燥システム６の一部を設けるようにしてもよい。例えば、水槽３の中心軸を含み、かつ、この中心軸と直交する水平軸を含む面よりも上側に送風機３１を設け、かつ、上記面よりも下側に加熱装置３２、除湿用熱交換器３３および送風ダクト３９を設けてもよい。
【００４１】
上記実施の形態では、ヒータケース３７を水槽３内の空間の下部に配置していたが、ヒータケース３７を水槽３内の空間の上部または側部に配置してもよい。要するに、ヒータケース３７は水槽３７内の空間であればどこに配置してもよい。ヒータケース３７は水槽３７内の空間に配置すれば、水槽３外への放熱ロスを低減することができる。
【００４２】
上記実施の形態では、ヒータケース３７を水槽３内に配置していたが、ヒータケース３７を、水槽３外かつ水槽３の下部側方または下部下側に配置してもよい。
【００４３】
上記実施の形態では、ヒータケース３７を水槽３内に配置していたが、ヒータケース３７を、水槽３外かつ水槽３の下部側方または下部下側に配置してもよい。
【００４４】
上記実施の形態では、段部１６の水平面１６ａに、水道水給水口４１および風呂水給水口４２を設けていたが、段部１６の水平面１６ａに、水道水給水口４１および風呂水給水口４２の一方のみを設けてもよい。
【００４５】
上記実施の形態では、段部１６の水平面１６ａに、水道水給水口４１および風呂水給水口４２を設けていたが、段部１６の鉛直面１６ｂに、水道水給水口４１および風呂水給水口４２の少なくとも一方を設けてもよい。
【００４６】
上記実施の形態では、段部１６の水平面１６ａと外箱１の天面の前部とを鉛直面１６ｂで接続していたが、段部１６の水平面１６ａと外箱１の天面の前部とを、水平方向に対して傾斜する傾斜面で接続してもよい。つまり、段部１６の鉛直面１６ｂの代わりに、水平方向に対して傾斜する傾斜面を用いてもよい。
【００４７】
上記実施の形態では、段部１６の鉛直面１６ｂの下端に段部１６の水平面１６ａを接続していたが、段部１６の鉛直面１６ｂの下端に、水平方向に対して傾斜する傾斜面を接続してもよい。つまり、段部１６の水平面１６ａの代わりに、水平方向に対して傾斜する傾斜面を用いてもよい。
【００４８】
上記実施の形態では、風呂水ポンプ４４を外箱１内に入れていたが、風呂水ポンプ４４を外箱１外に出してもよい。風呂水ポンプ４４を外箱１外に出している場合、風呂水ポンプ４４と風呂水給水口４２を風呂水ホースで接続すればよい。
【００４９】
本発明のドラム式洗濯機は、上記実施形態のように、洗濯機能と乾燥機能とを有するものであってもよいし、あるいは、洗濯機能のみを有するものであってもよい。
【図面の簡単な説明】
【００５０】
【図１】図１は本発明の一実施の形態のドラム式洗濯機の概略斜視図である。
【図２】図２は上記ドラム式洗濯機の概略断面図である。
【図３】図３は上記ドラム式洗濯機の水槽の概略正面図である。
【図４】図４は上記ドラム式洗濯機の外箱の概略上面図である。
【符号の説明】
【００５１】
１  外箱
３  水槽
４  ドラム
１６  段部
４１  水道水給水口
４２  風呂水給水口
４４  風呂水ポンプ
【図１】
2006061352.tif 000003
【図２】
2006061352.tif 000004
【図３】
2006061352.tif 000005
【図４】
2006061352.tif 000006